(57)【要約】      （修正有）【課題】工具不要で簡単にカバーを開閉でき且つ自動定位でき、インタフェースカードの着脱に極めて便利にする。【解決手段】コンピュータケースの壁のインタフェースブラケットを収容するスロットの上方に矩形貫通孔が設けられ、その底端に水平方向に支持板が延伸されて、外凸式のインタフェースカードブラケット固定構造が設けられ、インタフェースカードブラケットの水平部が該支持板の上に螺子止めされ、該貫通孔の辺縁部分に軸座体が設けられてカバーが枢設され、該カバーが該貫通孔を閉合するか、或いは開放してインタフェースカードの取り付けに供し、該軸座体とカバーに対応する位置決め装置が設けられ、凸点と凹孔で組成された位置決め装置により、カバーが開放時に自動係止されて脱落防止され、カバー閉合時に軸座体の凸点がそれを係止する。【選択図】図４
0003102071.tif 000002
【実用新案登録請求の範囲】
【請求項１】
インタフェースカードのブラケットを収容するスロットの上方に矩形の貫通孔が開設され、該貫通孔の下端に外向きに水平支持板が延設されたコンピュータケースと、
該貫通孔の辺縁部分に固定された軸座体と、
該軸座体に枢設され、上下に回転可能とされて該貫通孔を閉合或いは開放するカバーと、
該軸座体と該カバー間に設けられ、カバーが上向きに開放される時、カバーを支持して落下防止する位置決め装置と、
を具えたことを特徴とする、開閉式コンピュータインタフェースカードブラケットカバーの位置決め装置。
【請求項２】
請求項１記載の開閉式コンピュータインタフェースカードブラケットカバーの位置決め装置において、軸座体が逆Ｕ形体とされ、両側板と一つの横板とを具えたことを特徴とする、開閉式コンピュータインタフェースカードブラケットカバーの位置決め装置。
【請求項３】
請求項２記載の開閉式コンピュータインタフェースカードブラケットカバーの位置決め装置において、軸座体の両側板に対応する軸孔が設けられてカバーの該軸座体内側への枢設に供されることを特徴とする、開閉式コンピュータインタフェースカードブラケットカバーの位置決め装置。
【請求項４】
請求項２又は請求項３記載の開閉式コンピュータインタフェースカードブラケットカバーの位置決め装置において、軸座体の横板の一側が上向きに折り曲げられて二つの固定板が延設され、各固定板に固定孔が開設されたことを特徴とする、開閉式コンピュータインタフェースカードブラケットカバーの位置決め装置。
【請求項５】
請求項１記載の開閉式コンピュータインタフェースカードブラケットカバーの位置決め装置において、カバーがＬ形体とされ、直立板と水平板を具え、該直立板の両側辺に外向きに垂直に、相互に対応する連接板が延設され、各連接板の外側板面に凸軸が設けられて、該凸軸によりカバーが軸座体に枢設されたことを特徴とする、開閉式コンピュータインタフェースカードブラケットカバーの位置決め装置。
【請求項６】
請求項５記載の開閉式コンピュータインタフェースカードブラケットカバーの位置決め装置において、カバーの水平板にインタフェースカードの固定ネジを通すための少なくとも一つの穿孔が開設されたことを特徴とする、開閉式コンピュータインタフェースカードブラケットカバーの位置決め装置。
【請求項７】
請求項１記載の開閉式コンピュータインタフェースカードブラケットカバーの位置決め装置において、位置決め装置が、軸座体とカバーの隣り合う壁面にそれぞれ設置された相互に対応する凸点と凹孔とされ、カバーが特定の位置まで回転する時、該凸点が凹孔に嵌入することを特徴とする、開閉式コンピュータインタフェースカードブラケットカバーの位置決め装置。
【請求項８】
請求項７記載の開閉式コンピュータインタフェースカードブラケットカバーの位置決め装置において、凸点が軸座体に位置し、凹孔がカバーに位置することを特徴とする、開閉式コンピュータインタフェースカードブラケットカバーの位置決め装置。
【請求項９】
請求項１記載の開閉式コンピュータインタフェースカードブラケットカバーの位置決め装置において、カバーが円弧カバーとされ、その両側辺に外向きに垂直に、相互に対応する連接板が延設され、各連接板の外側板面に凸軸が設けられ、該凸軸によりカバーが軸座体に枢設されたことを特徴とする、開閉式コンピュータインタフェースカードブラケットカバーの位置決め装置。
【考案の詳細な説明】
【技術分野】
【０００１】
本考案は開閉式コンピュータインタフェースカードブラケットカバーの位置決め装置に係り、特に、外凸式インタフェースカードブラケット固定構造のコンピュータケースに適用され、その貫通孔を閉合可能な開閉式カバーに関する。
【背景技術】
【０００２】
インタフェースカードは、ゴールドフィンガーを具えた基板と逆Ｌ形のブラケットで組成され、該ブラケットはネジで通称「レアウインドウ」のフレーム構造に螺子止めされ、該フレームに少なくとも一つのスロットが設けられて、ブラケットの直立主体（コネクタを設けた板面）が収容され、該フレームにブラケットの螺子止め用の水平部に対応して、必ず水平架体が設けられ、ゆえにコンピュータケースのレアウインドウには内凹式或いは外凸式の二種類の設計が採用され、前者はレアウインドウ全体を内向きに凹ませ、その凹んだ段差部分に水平架体が形成され、後者はフレームがコンピュータケース背板に貼り付けられるが、外向きに水平架体が延設されている。内凹式フレームは比較的全体感を有しているが、コンピュータケースの全体の深さは比較的大きく、空間の浪費を形成し、大型のコンピュータケースに適用される。外凸式フレームはコンピュータケースの深さを短縮できるため、中、小型或いは深さが短いコンピュータケースに適用される。
【０００３】
外凸式のフレームのコンピュータケースは、スロットの上方に貫通孔が開設されて、ブラケットの水平ブラケットを外向きに突出させ、これによりそれを支持板上に固定可能としている。しかし該貫通孔は被覆して電磁波の外漏れを防止しなければならない。一般に用いられている被覆方式は、該貫通孔外に二つのネジで棚形カバーを固定する方法であり、該カバーはコンピュータケースの背板に固定され、並びに外向き及び下向きに延伸され、貫通孔及び支持板を併せて被覆する。しかし、このような設計のカバーはブラケットの固定ネジを遮蔽するため、毎回インタフェースカードの取り付け或いは取り外し作業を行なう時、先に該カバーを取り外し、インタフェースカードの着脱完成後に、再度カバーを螺子止めしてもとの状態としなければならない。ゆえにこのような設計はインタフェースカードの着脱作業に相当に不便であり、特に、経常的にインタフェースカードを着脱しなければならないコンピュータゲームプレイヤー或いは専門のコンピュータ使用者にとっては非常に不便であり、更にはカバーを取り外して再度取り付けずにいると、電磁波漏洩の管理に不利な影響を生じる。
【０００４】
本考案者はすでに、上記従来の技術の欠点に対して、貫通孔にＬ形カバーを枢設し、カバーの枢設点を上方部分に位置させて、それを上向きに開いて貫通孔を露出させられるようにし、カバー閉合時に、その直立板が完全に貫通孔を閉じ、その水平板が支持板及びブラケットの水平部の上方に重なるようにし、ブラケットの固定ネジにより併せて固定できるようにした構造を提供している。しかし、このような設計のカバーには位置決め装置が設けられておらず、手でカバーを保持しなければその開放状態を維持できず、インタフェースカードの着脱作業に対して、未だ理想的でないところがあった。
【考案の開示】
【考案が解決しようとする課題】
【０００５】
本考案の主要な目的は、一種の開閉式コンピュータインタフェースカードブラケットカバーの位置決め装置を提供することにあり、それは、枢設式のカバーに開放或いは閉合時の自動位置決め機能を提供することで、カバー開放時に手でそれを保持して開放状態を維持する必要をなくし、且つ閉合時にも別に螺子止めする必要をなくし、インタフェースカードの着脱作業に極めて便利とした装置とする。
【課題を解決するための手段】
【０００６】
請求項１の考案は、インタフェースカードのブラケットを収容するスロットの上方に矩形の貫通孔が開設され、該貫通孔の下端に外向きに水平支持板が延設されたコンピュータケースと、
該貫通孔の辺縁部分に固定された軸座体と、
該軸座体に枢設され、上下に回転可能とされて該貫通孔を閉合或いは開放するカバーと、
該軸座体と該カバー間に設けられ、カバーが上向きに開放される時、カバーを支持して落下防止する位置決め装置と、
を具えたことを特徴とする、開閉式コンピュータインタフェースカードブラケットカバーの位置決め装置としている。
請求項２の考案は、請求項１記載の開閉式コンピュータインタフェースカードブラケットカバーの位置決め装置において、軸座体が逆Ｕ形体とされ、両側板と一つの横板とを具えたことを特徴とする、開閉式コンピュータインタフェースカードブラケットカバーの位置決め装置としている。
請求項３の考案は、請求項２記載の開閉式コンピュータインタフェースカードブラケットカバーの位置決め装置において、軸座体の両側板に対応する軸孔が設けられてカバーの該軸座体内側への枢設に供されることを特徴とする、開閉式コンピュータインタフェースカードブラケットカバーの位置決め装置としている。
請求項４の考案は、請求項２又は請求項３記載の開閉式コンピュータインタフェースカードブラケットカバーの位置決め装置において、軸座体の横板の一側が上向きに折り曲げられて二つの固定板が延設され、各固定板に固定孔が開設されたことを特徴とする、開閉式コンピュータインタフェースカードブラケットカバーの位置決め装置としている。
請求項５の考案は、請求項１記載の開閉式コンピュータインタフェースカードブラケットカバーの位置決め装置において、カバーがＬ形体とされ、直立板と水平板を具え、該直立板の両側辺に外向きに垂直に、相互に対応する連接板が延設され、各連接板の外側板面に凸軸が設けられて、該凸軸によりカバーが軸座体に枢設されたことを特徴とする、開閉式コンピュータインタフェースカードブラケットカバーの位置決め装置としている。
請求項６の考案は、請求項５記載の開閉式コンピュータインタフェースカードブラケットカバーの位置決め装置において、カバーの水平板にインタフェースカードの固定ネジを通すための少なくとも一つの穿孔が開設されたことを特徴とする、開閉式コンピュータインタフェースカードブラケットカバーの位置決め装置としている。
請求項７の考案は、請求項１記載の開閉式コンピュータインタフェースカードブラケットカバーの位置決め装置において、位置決め装置が、軸座体とカバーの隣り合う壁面にそれぞれ設置された相互に対応する凸点と凹孔とされ、カバーが特定の位置まで回転する時、該凸点が凹孔に嵌入することを特徴とする、開閉式コンピュータインタフェースカードブラケットカバーの位置決め装置としている。
請求項８の考案は、請求項７記載の開閉式コンピュータインタフェースカードブラケットカバーの位置決め装置において、凸点が軸座体に位置し、凹孔がカバーに位置することを特徴とする、開閉式コンピュータインタフェースカードブラケットカバーの位置決め装置としている。
請求項９の考案は、請求項１記載の開閉式コンピュータインタフェースカードブラケットカバーの位置決め装置において、カバーが円弧カバーとされ、その両側辺に外向きに垂直に、相互に対応する連接板が延設され、各連接板の外側板面に凸軸が設けられ、該凸軸によりカバーが軸座体に枢設されたことを特徴とする、開閉式コンピュータインタフェースカードブラケットカバーの位置決め装置としている。
【考案の効果】
【０００７】
本考案の開閉式コンピュータインタフェースカードブラケットカバーの位置決め装置は、枢設式のカバーに開放或いは閉合時の自動位置決め機能を提供することで、カバー開放時に手でそれを保持して開放状態を維持する必要をなくし、且つ閉合時にも別に螺子止めする必要をなくし、インタフェースカードの着脱作業に極めて便利としている。
【考案を実施するための最良の形態】
【０００８】
本考案はコンピュータケースの背板内側に軸座体が固定されてカバーがそれに枢設され、該カバーがＬ形或いは円弧カバー形とされ、且つ軸座体とカバーの隣り合う板面に対応する凸点と凹孔が設けられ、カバー開放される時、該凸点が凹孔内に係合してカバーの落下が防止され、カバーが閉合される時、該凸点がカバーの板面辺縁を係止し、こうしてカバーの開放と閉合時の位置決め作用を形成する。
【実施例１】
【０００９】
図１は本考案の第１実施例の分解斜視図である。本考案は、軸座体１とカバー２で組成され、そのうち、軸座体１はコンピュータケースの背板の貫通孔部分に固定され、それは逆Ｕ形体とされその両側板１１、１２に対応する軸孔１１１、１２１が開設され、且つその板面内側の適当な位置に対応する凸点１１２、１２２が凸設され、別に両側板１１、１２の間の横板１３の一側辺が上向きに折り曲げられて二つの固定板１４、１５が延設され、各固定板１４、１５に固定孔１４１、１５１が設けられている。カバー２はＬ形体とされ、その水平板２１に少なくとも一つの穿孔２１１が開設されてインタフェースカードの固定ネジを通すのに用いられ、その距離はインタフェースカードの距離標準に依り、その数量はコンピュータケースに設置されるインタフェースカード収容数と同じとされ、即ち各インタフェースカードに一つの穿孔２１１が対応し、直立板２２の両側辺に外向きに、相互に対応する垂直の連接板２３、２４が延設され、各連接板２３、２４の外側板面にそれぞれ凸軸２３１、２４１が設けられ、該凸軸２３１、２４１は前述の軸孔１１１、１２１に対応し、両者が対応し枢設され、別に該側板面に前述の凸点１１２、１２２に対応する凹孔２３２、２４２が設けられ、凸点１１２、１２２が該凹孔２３２、２４２内に対応して嵌入される。軸座体１とカバー２の組合せ完成後は、図２に示されるように、カバー２が上下に回転可能とされ、並びに凸点１１２、１２２と凹孔２３２、２４２の構成する位置決め装置により、カバー２が上下に回転する時の死点で自動的に位置決めされる。
【００１０】
図３は本考案の第１実施例をコンピュータケースの背板３に取り付けた時の状態表示図である。該背板３には二つの長方形のスロット３１が開設されて、インタフェースカードのブラケット（符号４、図４、５参照）を収容し、該スロット３１の上方に矩形の貫通孔３３が開設され、該貫通孔３３の下端より外向きに水平支持板３２が延伸されて、外凸式インタフェースカード固定構造が形成され、ブラケット４の水平部４１が内側より貫通孔３３を通り外向きに突出し、並びに水平支持板３２の上に重ねられる。該水平支持板３２にはネジ孔３２１が設けられてインタフェースカードの螺子止めに供され、軸座体１の固定孔１４１、１５１に二つのネジ或いはリベットが通されて、軸座体１が貫通孔３３辺縁の背板３板面に固定される。図４はカバー２が上向きに開放されて死点に至った状態の側面図である。このとき、軸座体１の凸点１１２、１２２はちょうどカバー２の凹孔２３２、２４２内に嵌入し、外力を加えない状況では、カバー２はこの開放状態を維持し、貫通孔３３を露出させ、インタフェースカードのブラケット４を該貫通孔３３より突出させられる。インタフェースカードの取り付け完成後に、カバー２を下に押して下死点に至らせれば、図５に示されるようになり、この時、カバー２の直立板２２が貫通孔３３を閉合し、且つその水平板２１がブラケット４の水平部４１に重ね置かれ、このほか、凸点１１２、１２２がちょうどカバー２の連接板２３、２４の辺縁に係止されて、位置決め作用が形成される。
【実施例２】
【００１１】
図６、７、８は本考案の第２実施例を示し、そのカバー２’は円弧カバー形に形成され、その他の部分は不変であり、それは閉合状態（図９）時に直接には貫通孔３３を閉じず、その円弧カバー体が支持板３２外側を被覆し、即ち周知の組合せ式カバーと同じ範囲を被覆する。しかし本考案では、円弧カバー２’は回転開閉式とされ、開放或いは閉合のいずれの状態でも自動位置決めされ、ネジによる固定は不要であり、当然、工具不要であり、周知の技術のネジにより固定されたカバーに較べ、明らかに機能が向上されている。
【００１２】
以上は本考案の好ましい実施例の説明であって、本考案の実施範囲を限定するものではなく、本考案に基づきなしうる細部の修飾或いは改変は、いずれも本考案の請求範囲に属するものとする。
【図面の簡単な説明】
【００１３】
【図１】本考案の第１実施例の分解斜視図である。
【図２】本考案の第１実施例の斜視図である。
【図３】本考案の第１実施例をコンピュータケースの背板に取り付けた時の状態表示図である。
【図４】本考案の第１実施例のカバーが上向きに開放されて死点に至った状態の側面図である。
【図５】本考案の第１実施例のカバーが下向きに閉合されて死点に至った状態の側面図である。
【図６】本考案の第２実施例の分解斜視図である。
【図７】本考案の第２実施例の斜視図である。
【図８】本考案の第２実施例の全体の応用状態表示図である。
【符号の説明】
【００１４】
１  軸座体
１１、１２  側板
１１１、１２１  軸孔
１１２、１２２  凸点
１３  横板
１４、１５  固定板
１４１、１５１  固定孔
２  カバー
２’  カバー
２１  水平板
２１１  穿孔
２２  直立板
２３、２４  連接板
２３１、２４１  凸軸
２３２、２４２  凹孔
３  背板
３１  スロット
３２  支持板
３２１  ネジ孔
３３  貫通孔
４  ブラケット
４１  水平部
【図１】
0003102071.tif 000003
【図２】
0003102071.tif 000004
【図３】
0003102071.tif 000005
【図４】
0003102071.tif 000006
【図５】
0003102071.tif 000007
【図６】
0003102071.tif 000008
【図７】
0003102071.tif 000009
【図８】
0003102071.tif 000010